(57)【要約】【課題】蛍光灯などの照明が点いた明るい室内でも外光の影響を十分に排除して高コントラストの画像を表示することのできる反射型スクリーンを提供する。【解決手段】面内の一方向の屈折率のみが異なる２種類の高分子材料層１１Ｈ，１１Ｌが重ね合わされてなり、直交する偏光のうち一方の偏光の特定の波長領域について高反射特性を有し、前記一方の偏光の特定の波長領域以外及び他方の偏光の少なくとも可視波長領域について高透過特性を有する光学積層フィルム１１を備える。【選択図】図１
2006301254.tif 000002
【特許請求の範囲】
【請求項１】
面内の一方向の屈折率のみが異なる２種類の高分子材料層が重ね合わされてなり、直交する偏光のうち一方の偏光の特定の波長領域について高反射特性を有し、前記一方の偏光の特定の波長領域以外及び他方の偏光の少なくとも可視波長領域について高透過特性を有する光学積層フィルムを備えることを特徴とする反射型スクリーン。
【請求項２】
前記特定の波長領域が、赤、緑、青の各波長領域を含むことを特徴とする請求項１に記載の反射型スクリーン。
【請求項３】
前記光学積層フィルムの隣接する高分子材料層間の面内の一方向の屈折率差が０．１よりも大きいことを特徴とする請求項１に記載の反射型スクリーン。
【請求項４】
前記光学積層フィルムの透過光を吸収する光吸収層を備えることを特徴とする請求項１に記載の反射型スクリーン。
【請求項５】
前記光学積層フィルムの最外層上に該光学積層フィルムが反射した光を拡散させる光拡散層を備えることを特徴とする請求項１に記載の反射型スクリーン。
【請求項６】
面内の一方向の屈折率のみが異なる２種類の高分子材料層が重ね合わされてなり、直交する偏光のうち一方の偏光の特定の波長領域Ａについて高反射特性を有し、前記一方の偏光の特定の波長領域Ａ以外及び他方の偏光の少なくとも可視波長領域について高透過特性を有する光学積層フィルムＡと、
面内の一方向の屈折率のみが異なる２種類の高分子材料層が重ね合わされてなり、直交する偏光のうち他方の偏光の前記特定の波長領域Ａとは異なる特定の波長領域Ｂについて高反射特性を有し、前記他方の偏光の特定の波長領域Ｂ以外及び一方の偏光の少なくとも可視波長領域について高透過特性を有する光学積層フィルムＢと
を備えることを特徴とする反射型スクリーン。
【請求項７】
前記特定の波長領域Ａが赤、青の各波長領域を含み、前記特定の波長領域Ｂが緑の波長領域を含むことを特徴とする請求項６に記載の反射型スクリーン。
【請求項８】
前記光学積層フィルムＡ、光学積層フィルムＢそれぞれの隣接する高分子材料層間の面内の一方向の屈折率差が０．１よりも大きいことを特徴とする請求項６に記載の反射型スクリーン。
【請求項９】
前記光学積層フィルムＡ及び光学積層フィルムＢの透過光を吸収する光吸収層を備えることを特徴とする請求項６に記載の反射型スクリーン。
【請求項１０】
前記光学積層フィルムＡまたは光学積層フィルムＢの最外層上に該光学積層フィルムＡ及び光学積層フィルムＢが反射した光を拡散させる光拡散層を備えることを特徴とする請求項６に記載の反射型スクリーン。
【発明の詳細な説明】
【技術分野】
【０００１】
本発明は、選択反射特性を有する反射型スクリーンに関するものである。
【背景技術】
【０００２】
従来ＯＨＰ、スライド、映写機等プロジェクタ用のスクリーンとして、プロジェクタからの光を反射する反射性と、反射された光を拡散するための拡散性とを備えた反射型スクリーンが用いられている。最も一般的なものは黒色の裏打ちシートに光反射性基材として白色のポリ塩化ビニルシートを積層したものである。また、光反射性基材上に反射層としてパール顔料、アルミペースト顔料を含む白色インキをコーティングし、更に必要に応じて、微細な凹凸加工を施すことにより、反射率を改良した反射型スクリーンも用いられてきた。しかし、これらは黒色の暗い映像部と白色の明るい映像部とのコントラスト比の改善に対する配慮がなされていないため、鮮明な画像を得るためには暗室での使用に限られていた。
【０００３】
そこで、天井からの照明光、窓からの光が存在する環境下でも鮮明な画像が得られるようにコントラスト比の向上を図った反射型スクリーンが提案されている。例えば、クレイズと称する光吸収性物質からなるひさしを設けることで、正面からのプロジェクタ光は吸収されないが、入射角度を有する外光は吸収されるスクリーンが提案されている（例えば、特許文献１参照。）。また、光吸収層として黒色繊維状物を用いることで、前記ひさしと同様の効果を狙ったスクリーンが提案されている（例えば、特許文献２参照。）。しかし、これらはいずれも構造的に複雑であり、根本的な解決には至っていないものであった。
【０００４】
また、選択反射特性を有する光学積層フィルムを用いることにより画像の鮮映性を維持することのできる反射型スクリーンが提案されている（例えば、特許文献３参照。）。しかしながら、高屈折、低屈折樹脂の屈折率は、全方向ですべて異なっているため、本フィルムによっても外光の低減効果が十分ではなかった。
【０００５】
【特許文献１】特開平１０−３９４１８号公報
【特許文献２】特開平１０−２８２５７７号公報
【特許文献３】特開２００３−７５９２０号公報
【発明の開示】
【発明が解決しようとする課題】
【０００６】
本発明は、以上の従来技術における問題に鑑みてなされたものであり、蛍光灯などの照明が点いた明るい室内でも外光の影響を十分に排除して高コントラストの画像を表示することのできる反射型スクリーンを提供することを目的とする。
【課題を解決するための手段】
【０００７】
前記課題を解決するために提供する本発明は、面内の一方向の屈折率のみが異なる２種類の高分子材料層が重ね合わされてなり、直交する偏光のうち一方の偏光の特定の波長領域について高反射特性を有し、前記一方の偏光の特定の波長領域以外及び他方の偏光の少なくとも可視波長領域について高透過特性を有する光学積層フィルムを備えることを特徴とする反射型スクリーンである（請求項１）。
【０００８】
ここで、前記特定の波長領域が、赤、緑、青の各波長領域を含むことが好ましい。
また、前記光学積層フィルムの隣接する高分子材料層間の面内の一方向の屈折率差が０．１よりも大きいことが好ましい。
【０００９】
また、前記光学積層フィルムの透過光を吸収する光吸収層を備えるとよく、前記光学積層フィルムの最外層上に該光学積層フィルムが反射した光を拡散させる光拡散層を備えることが好適である。
【００１０】
前記課題を解決するために提供する本発明は、面内の一方向の屈折率のみが異なる２種類の高分子材料層が重ね合わされてなり、直交する偏光のうち一方の偏光の特定の波長領域Ａについて高反射特性を有し、前記一方の偏光の特定の波長領域Ａ以外及び他方の偏光の少なくとも可視波長領域について高透過特性を有する光学積層フィルムＡと、面内の一方向の屈折率のみが異なる２種類の高分子材料層が重ね合わされてなり、直交する偏光のうち他方の偏光の前記特定の波長領域Ａとは異なる特定の波長領域Ｂについて高反射特性を有し、前記他方の偏光の特定の波長領域Ｂ以外及び一方の偏光の少なくとも可視波長領域について高透過特性を有する光学積層フィルムＢとを備えることを特徴とする反射型スクリーンである（請求項６）。
【００１１】
ここで、前記特定の波長領域Ａが赤、青の各波長領域を含み、前記特定の波長領域Ｂが緑の波長領域を含むことが好ましい。
また、前記光学積層フィルムＡ、光学積層フィルムＢそれぞれの隣接する高分子材料層間の面内の一方向の屈折率差が０．１よりも大きいことが好ましい。
【００１２】
また、前記光学積層フィルムＡ及び光学積層フィルムＢの透過光を吸収する光吸収層を備えるとよく、前記光学積層フィルムＡまたは光学積層フィルムＢの最外層上に該光学積層フィルムＡ及び光学積層フィルムＢが反射した光を拡散させる光拡散層を備えることが好適である。
【発明の効果】
【００１３】
本発明によれば、高コントラスト、高ゲインの画像を表示できるため、蛍光灯などの照明が点いた明るい室内でも鮮明な画像として視覚でき、映像機器等のプロジェクタ用のスクリーンとして有用である。また、極めて容易かつ安価に大画面の反射型スクリーンとすることができる。
また、プロジェクタ光の波長や偏光状態に対応させて反射特性を調整することができるため、使用するプロジェクタ光源にコントラスト、ゲイン、反射率の面で最適な反射型スクリーンを実現することができる。
【発明を実施するための最良の形態】
【００１４】
以下に、本発明に係る反射型スクリーンの第１の実施の形態について説明する。
図１は、本発明に係る反射型スクリーンの第１の実施の形態における構成を示す断面図である。
図１に示すように、反射型スクリーン１０は、面内の一方向の屈折率のみが異なる２種類の高分子材料層１１Ｈ，１１Ｌが重ね合わされてなる複屈折率を有する光学積層フィルム１１と、光吸収層１３と、光拡散層１４とを備えた構成である。
【００１５】
光学積層フィルム１１は、面内の一方向が高屈折率となる高分子材料層１１Ｈと、面内の同じ方向が低屈折率となる高分子材料層１１Ｌとが交互に積層された構成であり、直交する偏光のうち一方の偏光の特定の波長領域について高反射特性を有し、前記一方の偏光の特定の波長領域以外及び他方の偏光の少なくとも可視波長領域について高透過特性を有する。
【００１６】
図２に光学積層フィルム１１の層構造例を示す。
高分子材料層１１Ｈにおいて、面内のｘ軸方向の屈折率ｎ１ｘ、面内のｙ軸方向の屈折率ｎ１ｙ、厚み方向（ｚ軸方向）の屈折率ｎ１ｚは、ｎ１ｘ＝ｎ１ｚ＝１．５７、ｎ１ｙ＝１．８６となっており、１方向のみの屈折率を変えた層となっている。
【００１７】
また、高分子材料層１１Ｌにおいて、面内のｘ軸方向の屈折率ｎ２ｘ、面内のｙ軸方向の屈折率ｎ２ｙ、厚み方向（ｚ軸方向）の屈折率ｎ２ｚは、ｎ２ｘ＝ｎ２ｙ＝ｎ２ｚ＝１．５７となっている。
【００１８】
したがって、光学積層フィルム１１では積層される高分子材料層１１Ｈ，１１Ｌ間で面内の一方向（ｙ軸方向）の屈折率のみが異なる関係となり、反射軸がｙ軸、透過軸がｘ軸となった選択反射特性を示すようになる。すなわち、入射光のうち、ｙ軸と平行に偏光した光は高分子材料層１１Ｈ，１１Ｌ間の屈折率差に基づいた反射特性を示し、ｘ軸と平行に偏光した光は高分子材料層１１Ｈ，１１Ｌ間で屈折率差が０であるため反射が起こらず透過するようになる。
【００１９】
ここで、高分子材料層１１Ｈ，１１Ｌの各屈折率、厚みを調整することにより、光学積層フィルム１１で反射する一方の偏光の特定の波長領域として、赤（Ｒ）、緑（Ｇ）、青（Ｂ）の各波長領域を含むようにすることが好ましい。具体的には、波長領域３８０〜５００ｎｍ、５１０〜５８０ｎｍ、５９０〜７８０ｎｍそれぞれに少なくとも１つの反射率ピークを有するようにするとよい。
【００２０】
また、この場合、高分子材料層１１Ｈ，１１Ｌは１００〜数百層積層されるが、光学積層フィルム１１の隣接する高分子材料層間、すなわち高分子材料層１１Ｈ，１１Ｌ間の面内の一方向の屈折率差は０．１よりも大きいことが好ましい。
【００２１】
図３に光学積層フィルム１１の反射特性の例を示す。ここでは、図２の光学積層フィルム１１の層構造において、高分子材料層１１Ｈの厚みを３３０ｎｍ、高分子材料層１１Ｌの厚みを６４０ｎｍとし、１００層積層した場合を示している。図３において、波長４６５ｎｍ、５４０ｎｍ、６５０ｎｍ付近に反射率ピークを有しており、ＲＧＢ三原色波長領域の偏光状態が揃ったプロジェクタとの組合せにおいて好適である。また、１つの光学積層フィルムでスクリーンを構成することができ、複数の光学積層フィルムを貼りあわせる必要がなくなるため、コスト削減が可能である。
【００２２】
光吸収層１３は、光学積層フィルム１１を透過した光を吸収させるためのもので、例えば、光学積層フィルム１１の反射型スクリーン１０として裏面側となる面に黒色塗料を塗布して形成すればよい。あるいは、黒色フィルムまたは黒色塗料を塗ったフィルムを貼り合わせてもよい。
【００２３】
光拡散層１４は、所望の視野角特性を実現するように設計された凹凸を有するフィルム、例えばマイクロレンズアレー（ＭＬＡ）が形成された拡散板であり、可撓性を有する。この光拡散層１４では、光学積層フィルム１１で反射された三原色波長域光が散乱される。これによって、視野角が大きくなり良い視野特性が得られる。また、光拡散層１４は、例えば直径が数μｍ〜数ｍｍ程度である球状の複数のビーズが等間隔に配列されたものでもよい。これらのビーズは例えばガラスや高分子材料等の透明な材料からなる。また、光拡散層１４は、所定の媒質中に例えば銀（Ａｇ）や銅（Ｃｕ）等の金属微粒子が分散されたものでもよい。さらに、光拡散層１４は、表面に微細な凹凸形状がランダムに形成された拡散板であってもよい。
【００２４】
また、光拡散層１４は、光の出射光が目的の範囲内に収まるようにする特性、すなわち拡散角が縦方向と横方向で異なる特性（異方性）を有する光拡散面を備えたものであることが好ましい。望ましくは、縦方向の拡散角は輝度半値幅として２０度程度、横方向の拡散角は輝度半値幅として４０度程度がよい。これにより、スクリーンから放出される光が目的の視野内に指向せしめるように制御されるため、視認性のよいスクリーンとすることができる。また縦方向の拡散角を見た目の違和感のない範囲内で収めることにより、プロジェクタ装置からの投射光とは光拡散層１４への入射角が異なる外光の影響を低減させることができ、表示される映像のコントラストを向上させることができる。
【００２５】
さらに、光拡散層１４は、前記縦方向および前記横方向のいずれか一方または両方において、入射角０°で拡散面に照射した光の前記拡散面からの拡散光輝度の角度依存性を測定した時に最大輝度の軸ずれを有しているとよい。あるいは、前記縦方向および前記横方向のいずれか一方または両方において、入射角０°で拡散面に照射した光の前記拡散面からの拡散光輝度の角度依存性を測定した時に最大輝度軸が光拡散層１４主面の法線方向に対して傾いており、該最大輝度軸に対して前記輝度分布が非対称であるとよい。
これにより、スクリーンのどの場所においても放出される光が目的の視野内に指向せしめるように制御されるため、高く均一な輝度やゲインを得ることができ、さらに視認性のよいスクリーンを提供することができる。
【００２６】
なお、これらの特性は、光拡散面として、光拡散層１４主面の法線に対して非対称な凸または凹形状の微細表面要素を有することにより達成される。具体的には、金型に対する研削材の吹き付け角度をすべて９０°未満であるようにしたサンドブラスト処理により形成された金型表面の凹凸形状を転写することにより前記光拡散面を得ることができる。
【００２７】
図４に、上記反射型スクリーン１０を用いた場合のプロジェクタ光の反射・透過状態の概念図を示す。
反射型スクリーン１０に入射する光は、光拡散層１４を透過し、光学積層フィルム１１に到達するが、該光学積層フィルム１１において入射光のうちＰ偏光のＲ，Ｇ，Ｂ三原色の各波長領域について高反射率で反射され、Ｐ偏光のＲ，Ｇ，Ｂ三原色波長領域以外及びＳ偏光は透過されるようになる。ついで、光学積層フィルム１１にて反射された光はほぼ映像に関わる特定波長領域の光のみが選択的に反射されており、その反射光は光拡散層１４の表面にて拡散され視野角の広い画像光として視聴者に供される。一方、光学積層フィルム１１にて透過された光は光吸収層１３で吸収されるようになる。ここで、映像に関わる特定波長領域の光のみの選択反射に加えて、外光についてＲＧＢの反射波長領域では約半分、それ以外の波長領域では大部分が光学積層フィルム１１で透過され光吸収層１３で吸収されることから、上記反射光である画像光への外光の影響を高いレベルで排除することができ、反射型スクリーン１０上の映像の黒レベルを下げて従来にない高コントラスト化が可能となる。また、室内が蛍光灯などの照明器具により明るい状態でもコントラストの高く、外光の映り込みのない良好な映像が鑑賞できるようになる。
【００２８】
なお、本実施の形態では、１つの光学積層フィルムにより一方の偏光のＲ，Ｇ，Ｂ三原色波長領域すべてについて反射するものを示したが、一方の偏光のＲ，Ｇ，Ｂ三原色波長領域の少なくとも１つを反射する光学積層フィルムを複数組み合わせ貼り合わせた構成としてもよい。
【００２９】
その構成例を以下に示す。
（１）一方の偏光の赤色（Ｒ），青色（Ｂ）の波長領域に反射ピークをもつ光学積層フィルムＡと、一方の偏光の緑色（Ｇ）の波長領域に反射ピークをもつ光学積層フィルムＢとの組合せ。
（２）一方の偏光の赤色（Ｒ）の波長領域に反射ピークをもつ光学積層フィルムＡと、一方の偏光の緑色（Ｇ）の波長領域に反射ピークをもつ光学積層フィルムＢと、一方の偏光の青色（Ｂ）の波長領域に反射ピークをもつ光学積層フィルムＣとの組合せ。
【００３０】
前記構成例（１）の場合には、三原色のうち特定の１つの波長領域について反射率ピークの反射率のみを下げて映像の色バランスを調整するときに有効である。また、構成例（２）の場合には、反射率ピークの反射率をＲＧＢ波長領域それぞれについて所望の値に調整することが可能となり、映像の色バランスを調整するときにより有効である。
【００３１】
次に、本発明に係る反射型スクリーンの第２の実施の形態について説明する。
図７は、本発明に係る反射型スクリーンの第２の実施の形態における構成を示す断面図である。
図７に示すように、反射型スクリーン２０は、面内の一方向の屈折率のみが異なる２種類の高分子材料層２１Ｈ，２１Ｌが重ね合わされてなる光学積層フィルム２１と、面内の一方向の屈折率のみが異なる２種類の高分子材料層２２Ｈ，２２Ｌが重ね合わされてなる光学積層フィルム２２と、光吸収層１３と、光拡散層１４とを備えた構成である。ここで、光吸収層１３、光拡散層１４は第１の実施の形態と同じものである。
【００３２】
光学積層フィルム２１は、面内の一方向が高屈折率となる高分子材料層２１Ｈと、面内の同じ方向が低屈折率となる高分子材料層２１Ｌとが交互に積層された構成であり、直交する偏光のうち一方の偏光の特定の波長領域Ａについて高反射特性を有し、前記一方の偏光の特定の波長領域Ａ以外及び他方の偏光の少なくとも可視波長領域について高透過特性を有する。
【００３３】
光学積層フィルム２２は、面内の一方向が高屈折率となる高分子材料層２２Ｈと、面内の同じ方向が低屈折率となる高分子材料層２２Ｌとが交互に積層された構成であり、直交する偏光のうち他方の偏光の前記特定の波長領域Ａとは異なる特定の波長領域Ｂについて高反射特性を有し、前記他方の偏光の特定の波長領域Ｂ以外及び一方の偏光の少なくとも可視波長領域について高透過特性を有する。
【００３４】
ここで、光学積層フィルム２１の構成要素となる高分子材料層２１Ｈと高分子材料層２１Ｌとの関係、並びに光学積層フィルム２２の構成要素となる高分子材料層２２Ｈと高分子材料層２２Ｌとの関係は、第１の実施の形態における高分子材料層１１Ｈと高分子材料層１１Ｌとの関係と同じである。ただし、光学積層フィルム２１と光学積層フィルム２２とが貼りあわされるときに、図２におけるｘ、ｙ方向に関し光学積層フィルム２２は光学積層フィルム２１に対して９０度回転した状態で貼りあわされている。これにより、光学積層フィルム２１において一方の偏光（例えばＰ偏光）の特定波長領域Ａについて反射特性を有するようになり、光学積層フィルム２２において他方の偏光（例えばＳ偏光）の特定波長領域Ｂについて反射特性を有するようになる。
【００３５】
ここで、高分子材料層２１Ｈ，２１Ｌの各屈折率、厚みを調整することにより、光学積層フィルム２１で反射する一方の偏光の特定の波長領域として、赤（Ｒ）、青（Ｂ）の各波長領域を含むようにすることが好ましい。具体的には、波長領域３８０〜５００ｎｍ、５９０〜７８０ｎｍそれぞれに少なくとも１つの反射率ピークを有するようにするとよい。
【００３６】
また、高分子材料層２２Ｈ，２２Ｌの各屈折率、厚みを調整することにより、光学積層フィルム２２で反射する他方の偏光の特定の波長領域として、緑（Ｇ）の波長領域を含むようにすることが好ましい。具体的には、波長領域５１０〜５８０ｎｍに少なくとも１つの反射率ピークを有するようにするとよい。
【００３７】
また、この場合、高分子材料層２１Ｈ，２１Ｌ、高分子材料層２２Ｈ，２２Ｌはそれぞれ１００〜数百層積層されるが、光学積層フィルム２１、２２において隣接する高分子材料層間、すなわち高分子材料層２１Ｈ，２１Ｌ間、高分子材料層２２Ｈ，２２Ｌ間の面内の一方向の屈折率差は０．１よりも大きいことが好ましい。
【００３８】
図６に光学積層フィルム２１，２２の反射特性の例を示す。ここでは、光学積層フィルム２１の反射特性（図６（ａ））については、図２の光学積層フィルム１１の層構造に準ずる、高分子材料層２１Ｈの厚みを１９０ｎｍ、高分子材料層２１Ｌの厚みを３８０ｎｍとし、１００層積層した場合を示している。また、光学積層フィルム２２の反射特性（図６（ｂ））については、図２の光学積層フィルム１１の層構造に準ずる、高分子材料層２２Ｈの厚みを１９０ｎｍ、高分子材料層２２Ｌの厚みを１２０ｎｍとし、１００層積層した場合を示している。その結果、図６（ａ）において、波長４７５ｎｍ、６３５ｎｍ付近に反射率ピークを有し、図６（ｂ）において、波長５５０ｎｍ付近に反射率ピークを有しており、青、赤の偏光軸と、緑の偏光軸とが異なる液晶プロジェクタとの組合せにおいて好適である。
【００３９】
図７に、上記反射型スクリーン２０を用いた場合のプロジェクタ光の反射・透過状態の概念図を示す。
反射型スクリーン２０に入射する光は、光拡散層１４を透過し、まず光学積層フィルム２１に到達するが、該光学積層フィルム１１において入射光のうちＰ偏光のＲ，Ｂの各波長領域について高反射率で反射され、Ｐ偏光のＲ，Ｂ波長領域以外及びＳ偏光は透過されるようになる。ついで、透過したＰ偏光のＲ，Ｂ波長領域以外及びＳ偏光は、光学積層フィルム２２に到達するが、該光学積層フィルム２２において入射光のうちＳ偏光のＧ波長領域について高反射率で反射され、Ｓ偏光のＧ波長領域以外及びＰ偏光は透過されるようになる。
したがって、光学積層フィルム２１にて反射された光と、光学積層フィルム２２にて反射された光とを合わせるとほぼ映像に関わる特定波長領域の光のみが選択的に反射されることとなり、その反射光は光拡散層１４の表面にて拡散され視野角の広い画像光として視聴者に供される。一方、光学積層フィルム２１及び光学積層フィルム２２にて透過された光は光吸収層１３で吸収されるようになる。ここで、映像に関わる特定波長領域の光のみの選択反射に加えて、外光についてＲＧＢの反射波長領域では約半分、それ以外の波長領域では大部分が光学積層フィルム２１及び光学積層フィルム２２で透過され光吸収層１３で吸収されることから、上記反射光である画像光への外光の影響を高いレベルで排除することができ、反射型スクリーン２０上の映像の黒レベルを下げて従来にない高コントラスト化が可能となる。また、室内が蛍光灯などの照明器具により明るい状態でもコントラストの高く、外光の映り込みのない良好な映像が鑑賞できるようになる。
【図面の簡単な説明】
【００４０】
【図１】本発明に係る反射型スクリーンの第１の実施の形態における構成を示す断面図である。
【図２】本発明で使用する光学積層フィルムの層構造例を示す図である。
【図３】本発明の第１の実施の形態で使用する光学積層フィルムの反射特性を示す図である。
【図４】本発明の反射型スクリーンの第１の実施の形態におけるプロジェクタ光の反射・透過状態の概念図である。
【図５】本発明に係る反射型スクリーンの第２の実施の形態における構成を示す断面図である。
【図６】本発明の第２の実施の形態で使用する光学積層フィルムの反射特性を示す図である。
【図７】本発明の反射型スクリーンの第２の実施の形態におけるプロジェクタ光の反射・透過状態の概念図である。
【符号の説明】
【００４１】
１０，２０・・・反射型スクリーン、１１，２１，２２・・・光学積層フィルム、１１Ｈ，１１Ｌ，２１Ｈ，２１Ｌ，２２Ｈ，２２Ｌ・・・高分子材料層、１３・・・光吸収層、１４・・・光拡散層
【図１】
2006301254.tif 000003
【図２】
2006301254.tif 000004
【図３】
2006301254.tif 000005
【図４】
2006301254.tif 000006
【図５】
2006301254.tif 000007
【図６】
2006301254.tif 000008
【図７】
2006301254.tif 000009